(57)【要約】      （修正有）【課題】簡単に首筋、うなじ、耳、衣服を簡単に覆うことができ、肩に沿わせやすい毛染め用ケープを提供する。【解決手段】毛染め用ケープ１は、柔軟な薄地のシート材２で、長方形の一辺をＵ字状に切り欠いた形状で、Ｕ字状に切り欠いた部分に沿って、伸縮可能な首当端３、首当端３を挟むように設けられている二つの伸縮可能な耳当端４、５が設けられており、耳当端４、５は、各耳当端４、５の両端部が縫い付けられ環状に形成されている。【選択図】図１
0003228327.tif 000002
【実用新案登録請求の範囲】
【請求項１】
柔軟な薄地のシート材で、長方形の一辺に対して間隔を開けて２箇所で下に所定長さだけ直線状に切断し、夫々の先を凹状の湾曲した切り込みにより連結するＵ字状に切り欠いた形状で、直線状の端部を耳当端、湾曲した端部を首当端として夫々の端部がその長さ方向に伸縮可能なように弾性体が付着され、前記耳当端は、各耳当端の両端部が縫い付けられ環状に形成されていることを特徴とする毛染め用ケープ。
【請求項２】
請求項１の毛染め用ケープにおいて、前記首当端を挟んで両側の前記耳当端の端部から端部まで連続してゴム糸を縫い付けるシャーリング加工がされていることを特徴とする毛染め用ケープ。
【考案の詳細な説明】
【技術分野】
【０００１】
本考案は、染毛剤が衣服や耳などに付着するのを防止するために用いられる毛染め用ケープに関するものである。
【背景技術】
【０００２】
一般家庭などで手軽に毛染めができる染毛剤が市販されており、家庭で毛染めする場合に、染毛剤などが衣服だけでなく耳に付着するのを防ぐため、簡単に使用できる耳まで覆う毛染め用ケープが例えば、特許文献１において提案されている。
【０００３】
特許文献１に示されるケープは、図４に示すようなものである。図４Ａは長方形のシート材２を、図４Ｂは使用状態を示しており同公報図３から転記した。  図４Ａにおいて、このケープは、シート材２の長辺の一方の端縁部に、中央位置が首当部Ａ、この首当部Ａを挟むように設けられている一対の耳当部Ｂ１、Ｂ２、一対の耳当部Ｂ１、Ｂ２の外側に前面覆い兼ヘアキャップ形成部Ｃ１、Ｃ２が設けられている。首当部Ａ、一対の耳当部Ｂ１、Ｂ２、及び前面覆い部兼ヘアキャップ形成部Ｃ１、Ｃ２には、シャーリングＤが施されている。
【０００４】
図４Ｂにおいて、特許文献１のケープは、環とされた両側の耳当部Ｂ１、Ｂ２に耳を差し込み、首当部Ａを首筋の後方うなじの髪の生え際に当たるように調整する。また、特許文献２には、首当部が環状とされたものでは無いが、首当部を特許文献１のように直線状でなく、湾曲状にしたケープが開示されている。
【先行技術文献】
【特許文献】
【０００５】
【特許文献１】登録実用新案第３１８０６１５号公報
【特許文献２】特開２００２−１７４２９号公報
【考案の概要】
【考案が解決しようとする課題】
【０００６】
特許文献１のケープでは、ケープの前側に、着用者の腕に干渉する部分が存在する。図４において、長方形のシート材２の中で前面覆い兼ヘアキャップ形成部Ｃ１、Ｃ２を一辺とする長方形のうち下側の部分である（薄墨を施した箇所）。この部分は、腕を上げたり下げたりする度に、腕に触れケープ全体を揺らす。このため、ケープに付着していた染毛剤が飛び散る恐れがある。
【０００７】
また、特許文献１のケープでは、長方形の一辺に、直線状に、首当部Ａ、一対の耳当部Ｂ１、Ｂ２が形成してある。このため、シャーリング加工を施すときに直線状に作業すれば良く作業がしやすいと言う利点がある。一方で、うなじに当てられて凹曲線上になる首当部に対して、その対辺となる部分が直線状であるため、首当部Ａの長さはかなり余裕を持たせた長さにしておかないと、対辺となる部分（図４Ａ  Ｅの箇所）が浮き上がり、うなじに沿わせにくいものとなる。
【０００８】
首当部の形状を特許文献２のように湾曲したものとすれば、対辺となる部分が浮き上がる問題は解決できるが、首当部と一対の耳当部とが直線状にならず非連続になる。このため、シャーリング加工を施そうとすると作業の難易度が上がる。
【０００９】
そこで、本考案は、簡単に首筋、うなじ、耳に沿わせて、衣服を覆うことができる毛染め用ケープを提供することを目的とする。
【００１０】
上記目的を達成するために、本考案の毛染め用ケープは、柔軟な薄地のシート材で、長方形の一縁部をＵ字状に切り欠いた形状で、Ｕ字状に切り欠いた部分の縁部に沿って、伸縮可能な首当端、該首当端を挟むように設けられている二つの伸縮可能な耳当端が設けられおり、各耳当端は、当該耳当端の両端が縫い合わされ環状に形成されている。
【考案の効果】
【００１１】
この考案によれば、Ｕ字状に切り欠いた部分の縁部に沿って、首当端、一対の耳当端が設けられているため、肩に沿わせるときにゆとりができ、染毛剤の付着を防止すべき首筋、うなじ、耳、衣服を簡単に覆うことができる。また、ケープの前側では着用者の腕に干渉する部分が存在しないので、腕を上げたり下げたりする度に、腕に触れケープ全体を揺らすことが避けられると言う効果が有る。
【００１２】
また、首当端と一対の耳当端が連続的であるので、首当端、一対の耳当端を連続してシャーリング加工を施す場合においても、作業も簡単である。
【図面の簡単な説明】
【００１３】
【図１】本考案に係る毛染め用ケープを示し、図１Ａは正面図、図１Ｂは毛染め用ケープの展開図である。
【図２】耳当部の作成説明図である。
【図３】毛染め用ケープの使用方法の説明図で、図３Ａは毛染め用ケープを着用する手前の状態で、図３Ｂは毛染め用ケープを着用した状態である。
【図４】従来技術を示す図である。
【考案を実施するための形態】
【００１４】
以下、本考案に係る毛染め用ケープの一実施の形態について、図面を用いて説明する。
図１Ｂは本考案に係る毛染め用ケープの正面図で、本考案に係る毛染め用ケープ１は、柔軟な薄地のシート材２からなり、上側の一辺に必要な切り欠きがなされて首当端３及び耳当端４、５、頬側端７が形成されている。図１Ｂは毛染め用ケープの展開図で、シート材２は長方形の長辺の一方の縁部をＵ字状に切り欠いた形状で、Ｕ字状に切り欠いた部分の縁部に沿って、首当端３、この首当端３を挟むように首当端３の両端からそのまま連続して上に延びる一対の耳当端４、５が設けられている。
【００１５】
シート材２は、柔軟性があり、染毛剤などが浸透しない薄地のプラスチックシート等が使用される。プラスチックシートとしては、例えば、ポリエチレン、ポリプロピレン、塩化ビニル樹脂等があげられるが、これに限定されるものではない。また、プラスチックシートの他に、織布、不織布等の布帛も非透水性の処理をして使用することが出来る。
【００１６】
首当端３、耳当端４、５は伸縮可能に形成するため、各端にゴム糸６或いは平ゴム等の弾性体を付着されて夫々の長さ方向に伸縮可能なようにシャーリング加工が施されている。また、耳当端４、５の夫々の両端部は糸により縫い付けられ、予め環の状態とされている。
【００１７】
首当端３は、通常の大人の一方の耳の下端から襟足及び首筋を経由して他方の耳の下端に届く長さとする。各耳当端４、５は、伸縮可能とされている耳当端４、５を伸ばした場合に、通常の大人の耳にはまり込むに十分な長さとする。
【００１８】
本実施例としては、シート材２として長方形のポリエチレンシートを利用して毛染め用ケープ１を作成する場合の寸法について説明する。シート材２は９０×６６ｃｍのシートである。シート材２は、その一辺（上側の一辺）に対して間隔を開けて直角に下に向けて２箇所で直線状に所定の長さだけ切り込み、その先を凹状の湾曲した切り込みにより連結するＵ字状に切り欠いた形状を有している。
【００１９】
上側の一辺の左右に残った部分が、頬側端７であり長さａは左右等しく３０ｃｍである。頬側端７は、頬の側面に位置することになる端部である。両端の頬側端７から夫々直角に下に向けて直線状に長さｂ＝２５ｃｍ切り込まれて耳当端４、５が形成される。そして、耳当端４、５を滑らかに連結するように凹状に湾曲して切断されて、首当端３が形成される。凹状の湾曲は、長軸ｅを３０ｃｍ、短軸（ｆ×２）を１８ｃｍとする楕円とした。この場合、首当端３の長さｃ＝３８．２５ｃｍである。首当端３からシート材２の下辺までの距離ｄは、３２ｃｍとした。髪の長い着用者に対しては、距離ｄを長く変更することにより対応出来るが、このとき、距離ｄを長くしても頬側端７の長さには、影響がないことに注意すべきである。
【００２０】
図２は耳当端４、５の作成説明図で、４ａ及び５ａは耳当端４及び５の外側の端部で、４ｂ及び５ｂは耳当端４及び５の内側の端部である。耳当端４の端部４ａから、ゴム糸を縫い付け始め、耳当端４の端部４ｂまで縫い、続けて首当端３を縫い、反対側の耳当端５の端部５ａまで連続してゴム糸を縫い付けてシャーリング加工を行う（図２Ａ）。耳当端４の両方の端部４ａ、端部４ｂを互いに重ねて縫い付け、耳当端５の両方の端部５ａ、５ｂを互いに重ねて縫い付ける（図２Ｂ）。首当端３が耳当端４及び５に滑らかに連続しているため、１本のゴム糸の縫い付け作業が容易である。耳当端４、５が環状の伸縮するようになるとともに、丸みをもったうなじに沿って伸縮性のある首当端３を作成することができる。なお、首当端３、耳当端４、５に夫々に対して、別々のゴム糸を縫い付け、最後にこれらのゴム糸を連結するように縫製しても良い。
【００２１】
図３は毛染め用ケープ１の使用方法の説明図で、図３Ａは毛染め用ケープを着用する手前の状態で、図３Ｂは毛染め用ケープを着用した状態である。図３に示すように、首当端３を首筋の後方とするように配置して、耳当端４、５の環を広げながら、環の部分を耳に差し込み、耳を覆う状態で耳の根元まで、耳当端４、５を挿入する。首当端３が首筋、うなじの髪の生え際に当たるように調整し、毛染め用ケープ１で衣服を覆う。
【００２２】
頬側端７は、耳から頬の横に垂れ下がる。必要であれば、頬側端７の端部７ａ同士をクリップ等で連結すれば、頬側端７が頬に当てられて首の周りが毛染め用ケープ１により被覆される。また、シート材２の下側の辺ｈ（図１Ｂ参照）は、着用者の背後で、うなじに対して横に延びているが、これにシート材２の左右の辺ｇが連結することになる。従って、辺ｇは、端部７ａから、着用者の胸回りには存在せずに、そのまま背中側へ向かう形態になる。
【００２３】
本実施例に係る毛染め用ケープ１によれば、Ｕ字状に切り欠いた部分の縁部に沿って、首当端３、一対の耳当端４、５が設けられているため、肩に沿わせるときにゆとりができ、染毛剤の付着を防止すべき首筋、うなじ、耳、衣服を簡単に覆うことができる。また、毛染め用ケープ１の前側では着用者の腕に干渉する部分が存在しないので、腕を上げたり下げたりする度に、腕に触れケープ全体を揺らすことが避けられると言う効果が有る。長い髪の毛に対応して、シート材２の側辺の長さを長くしても、頬側端７の長さはその影響を受けないため、着用者の腕に干渉する部分が大きく増えることもない。
【００２４】
また、首当端と一対の耳当端が連続的であるので、首当端、一対の耳当端を連続してシャーリング加工を施す場合においても、作業も簡単であるという効果を有する。尚、本実施例において、シート材２のＵ字状の切り欠けは、型によりくりぬいて形成してよく、カッターやハサミで裁断して形成したものでも良い。
【符号の説明】
【００２５】
１    毛染め用ケープ
２    シート材
３    首当端
４、５  耳当端
６    ゴム糸
７    頬側端
【図１】
0003228327.tif 000003
【図２】
0003228327.tif 000004
【図３】
0003228327.tif 000005
【図４】
0003228327.tif 000006